(57)【要約】【課題】重量のあるシャッター装置を躯体に取付ける作業を簡略化するとともに、作業時間の短縮を図れるようにする。【解決手段】巻取りドラム４に、シャッターカーテン１の上端縁部と、左右一対の索体７の基端部７ａとを連結し、シャッターカーテン１を巻取りドラム４に巻装して索体７の遊端部７ｂをシャッターカーテン１の左右端部から外部に引出す第一工程と、巻取りドラム４の左右両端部に支持ブラケット３をそれぞれ回転自在に軸承し、左右の索体遊端部７ｂを各支持ブラケット３に連結してドラムユニットＵを構成する第二工程と、前記ドラムユニットＵを建設機械を用いて吊り上げて躯体２に固定する第三工程とにより建築用シャッター装置を躯体２に取付ける構成とする。【選択図】図５
2010007363.tif 000002
【特許請求の範囲】
【請求項１】
巻取りドラムに、躯体開口部を開閉するシャッターカーテンの上端縁部を連結して巻装する第一工程と、巻取りドラムの左右両端部に左右の支持ブラケットをそれぞれ回転自在に軸承するとともに、左右一対の連結体の基端部を巻取りドラムの左右端部にそれぞれ連結する一方、各連結体の先端部を左右の支持ブラケットにそれぞれ連結して、各支持ブラケットが巻取りドラムに対して所定の姿勢に保持され、かつ、巻取りドラムから抜止めされたドラムユニットを構成する第二工程と、前記ドラムユニットを建設機械を用いて吊り上げて、支持ブラケットを、開口部上方の躯体に固定する第三工程とにより構成されている建築用シャッターの取付け方法。
【請求項２】
巻取りドラムに、躯体開口部を開閉するシャッターカーテンの上端縁部と、左右一対の索体の基端部とを連結し、索体を巻取りドラムの外周面に沿わせてシャッターカーテンを巻取りドラムに巻装し、索体の遊端部をシャッターカーテンの左右端部から外部に引出す第一工程と、巻取りドラムの左右両端部に左右の支持ブラケットをそれぞれ回転自在に軸承するとともに、左右の索体の遊端部を左右の支持ブラケットにそれぞれ連結して、各支持ブラケットが巻取りドラムに対して所定の姿勢に保持され、かつ、巻取りドラムから抜止めされたドラムユニットを構成する第二工程と、前記ドラムユニットを建設機械を用いて吊り上げて、支持ブラケットを、開口部上方の躯体に固定する第三工程とにより構成されている建築用シャッターの取付け方法。
【請求項３】
索体の基端部は、シャッターカーテンと巻取りドラムとの連結部に着脱自在に固定され、ドラムユニットを躯体に固定した後に取外すように構成されている請求項２に記載の建築用シャッターの取付け方法。
【請求項４】
支持ブラケットは、巻取りドラムを軸承するブラケット本体と、該ブラケット本体に対して直交状に設けられ、躯体に固定される躯体取付けプレートとにより構成されるものとし、巻取りドラムは、第三工程でドラムユニットを躯体に固定した後、躯体取付けプレートとブラケット本体との固定部、および、躯体と躯体取付けプレートとの固定部において、それぞれ上下方向、左右方向における位置調整ができるように構成されている請求項１乃至３の何れか１項に記載の建築用シャッターの取付け方法。
【発明の詳細な説明】
【技術分野】
【０００１】
本発明は、工場や倉庫等の建築物に設けられる建築用シャッターの取付け方法の技術分野に属するものである。
【背景技術】
【０００２】
一般に、この種建築用シャッターのなかには、広い開口部に設けるもののように、シャッターカーテンの左右幅、上下幅ともに大型化したものがあり、このものでは、シャッターカーテンの重量が重くなることから、シャッターカーテンを巻装する巻取りドラムや、該巻取りドラムを支持する支持ブラケットや、回転駆動する開閉機等の部材装置も大型で重量の重いものになる。このため、このような重量シャッターを設置する場合では、それぞれの部材を設置箇所に吊り上げる（持ち上げる）作業をクレーン等を用いて行うようにしており、部材の設置現場への搬送、吊り上げ作業、組込み作業と何れも重労働で、しかも、長時間を要する作業となり、作業期限の規制のあるなかで遅延を招くことなく速やかに設置するのは困難であり、問題となっている。
【０００３】
この改善策として、地上においてシャッターカーテンが巻装された巻取りドラムと、該巻取りドラムの左右両端部に回転自在に設けた一対のブラケットと、これらブラケット同士を一体的に連結するとともに、躯体に固定される長尺状の固定部材とを予め組込んだ状態のドラムユニットを形成し、該ドラムユニットを、クレーンにより吊り上げて躯体に固定するように構成し、設置箇所における作業を少なくするとともに、クレーンによる吊り上げ作業の回数を少なくして、取付け作業の効率化を図るようにした取付け方法が提唱されている。
【特許文献１】特開２００７−１１３３４４号公報
【発明の開示】
【発明が解決しようとする課題】
【０００４】
ところが、前記従来のものにおいて、クレーンに吊り上げられるドラムユニットは、左右一対の支持ブラケットは固定部材とともに巻取りドラムに対して一体回動自在となっているため、巻取りドラム部位を支持してクレーンで吊り上げた状態では、重量の重い固定部材が連結された支持ブラケットが、固定部材を下方に位置させる状態の姿勢となり、躯体の前面に沿って固定されるべき固定部材の取付け面が下方を向くことになる。これに対し、前記従来のものでは、巻上げ機を固定部材に連結し、ドラムユニットをクレーンにより吊り上げた状態で巻上げ機を操作して、固定部材の取付け面が上下方向を向く姿勢となるように操作してから躯体への固定作業をするという手順としている。このため、設置作業において充分な作業時間の短縮が図ることができないうえ、クレーンと巻上げ機との両者をドラムユニットに連結することになるので作業が大がかりになって取付け作業の簡略化が損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、巻取りドラムに、躯体開口部を開閉するシャッターカーテンの上端縁部を連結して巻装する第一工程と、巻取りドラムの左右両端部に左右の支持ブラケットをそれぞれ回転自在に軸承するとともに、左右一対の連結体の基端部を巻取りドラムの左右端部にそれぞれ連結する一方、各連結体の先端部を左右の支持ブラケットにそれぞれ連結して、各支持ブラケットが巻取りドラムに対して所定の姿勢に保持され、かつ、巻取りドラムから抜止めされたドラムユニットを構成する第二工程と、前記ドラムユニットを建設機械を用いて吊り上げて、支持ブラケットを、開口部上方の躯体に固定する第三工程とにより構成されている建築用シャッターの取付け方法である。
請求項２の発明は、巻取りドラムに、躯体開口部を開閉するシャッターカーテンの上端縁部と、左右一対の索体の基端部とを連結し、索体を巻取りドラムの外周面に沿わせてシャッターカーテンを巻取りドラムに巻装し、索体の遊端部をシャッターカーテンの左右端部から外部に引出す第一工程と、巻取りドラムの左右両端部に左右の支持ブラケットをそれぞれ回転自在に軸承するとともに、左右の索体の遊端部を左右の支持ブラケットにそれぞれ連結して、各支持ブラケットが巻取りドラムに対して所定の姿勢に保持され、かつ、巻取りドラムから抜止めされたドラムユニットを構成する第二工程と、前記ドラムユニットを建設機械を用いて吊り上げて、支持ブラケットを、開口部上方の躯体に固定する第三工程とにより構成されている建築用シャッターの取付け方法である。
請求項３の発明は、索体の基端部は、シャッターカーテンと巻取りドラムとの連結部に着脱自在に固定され、ドラムユニットを躯体に固定した後に取外すように構成されている請求項２に記載の建築用シャッターの取付け方法である。
請求項４の発明は、支持ブラケットは、巻取りドラムを軸承するブラケット本体と、該ブラケット本体に対して直交状に設けられ、躯体に固定される躯体取付けプレートとにより構成されるものとし、巻取りドラムは、第三工程でドラムユニットを躯体に固定した後、躯体取付けプレートとブラケット本体との固定部、および、躯体と躯体取付けプレートとの固定部において、それぞれ上下方向、左右方向における位置調整ができるように構成されている請求項１乃至３の何れか１項に記載の建築用シャッターの取付け方法である。
【発明の効果】
【０００６】
請求項１、２の発明とすることにより、支持ブラケットを巻取りドラムに対して予め設定された姿勢に保持できて、ドラムユニットの躯体への固定作業が容易になって作業時間の短縮を図れる。
請求項３の発明とすることにより、ドラムユニットのみを吊り上げればよいことになって、第三工程における作業が容易で、しかも、索体が邪魔になるような不具合がない。
請求項４の発明とすることにより、第三工程での作業を一層容易にすることができる。
【発明を実施するための最良の形態】
【０００７】
つぎに、本発明の実施の形態について、図面に基づいて説明する。
図面において、１は大開口に建付けられる建築用シャッターのシャッターカーテンであって、該シャッターカーテン１は左右方向長尺状のスラット１ａを上下方向に複数連装して構成され、躯体２に固定される左右一対の支持ブラケット３に回転自在に軸承された巻取りドラム４に連結されている。そして、巻取りドラム４には開閉機５が連動連結されており、開閉機５の正逆駆動に伴う巻取りドラム４の正逆回転により、シャッターカーテン１が巻取りドラム４に対して巻出し、巻取りされ、シャッターカーテン１の左右両側部が、開口部左右両側部を構成する躯体２に配された一対のガイドレール６に移動案内を受ける状態で上下昇降動し、開口部を開閉するように構成されていること等の基本構成は従来通りとなっている。
【０００８】
つぎに、このように躯体２に設けられる建築用シャッターの取付け方法について説明する。
まず、工場において第一工程が実施される。前記第一工程は、巻取りドラム４にシャッターカーテン１の上端縁部を連結するとともに、本発明の索体７の基端部７ａを連結し、シャッターカーテン１を巻取りドラム４に巻装して設置現場に搬送できる状態にする工程に構成されている。
つまり、シャッターカーテン１の上縁部に、左右方向複数箇所に位置して吊り金具１ｂの下端部を連結する一方、該吊り金具１ｂの上端部を巻取りドラム４の外周面に固定ボルト１ｃを用いて螺着して、シャッターカーテン１と巻取りドラム４とを一体的に連結する。そして、これらシャッターカーテン１と巻取りドラム４との連結部（吊り金具１ｂ配設部）のうち、左右両端部に位置する連結部において、巻取りドラム４に固定するための固定ボルト１ｃの軸部に、索体７の基端部７ａであるリング状部を外嵌させた状態で固定ボルト１ｃを緊締することで、索体７の基端部７ａを巻取りドラム４の外周面に固定（連結）する。
尚、索体７は、例えばステンレスワイヤで構成することができ、シャッターカーテン１と巻取りドラム４との連結部から引出された遊端部７ｂは、先端を折返すことによりリング状の引っ掛け部７ｃに形成されている。前記引っ掛け部７ｃは、係脱自在な止め具７ｄを係止状態とすることによりリング状態が保持されるが、止め具７ｄの係止を外すことでリング状態から直線状態になるように構成されている。
そして、索体７の遊端部７ｂを巻取りドラム４外周面に沿わせて左右両端部側に引出した状態として巻取りドラム４の外周にシャッターカーテン１を巻装し、該巻装されたシャッターカーテン１の左右端部から索体７の遊端部７ｂを外部に引出す。このように、第一工程では、シャッターカーテン１が巻装された巻取りドラム４を構成し、このものに適宜養生部材で養生して、シャッターカーテン１が巻取りドラム４から巻出されない状態として車両に積載して、工場から設置現場に搬送する。
【０００９】
そして、設置現場に搬送されたシャッターカーテン１が巻装された巻取りドラム４は、図３に示すように、車両から荷降ろしされ、設置現場に用意された左右一対の架台８上に移送され、該架台８上において第二工程を実施する。前記第二工程は、巻取りドラム４の左右端部４ａ、４ｂに左右一対の支持ブラケット３を回転自在な状態で組込むとともに、左右の索体７の遊端部７ｂをそれぞれ左右の支持ブラケット３に連結し、支持ブラケット３が抜止め、回り止めされたドラムユニットＵを形成する工程に構成されている。
前記左右一対の支持ブラケット３は、予め工場において形成されて設定現場に搬送されるものであって、図４に示すように、巻取りドラム４の左右端部４ａ、４ｂを軸承するブラケット本体９と、該ブラケット本体９に直交状に配されて、躯体２に固定される躯体取付けプレート１０とにより構成されている。前記ブラケット本体９は、躯体取付けプレート１０に積層されて一体的に固定されるベースプレート９ａと、該ベースプレート９ａの前面に溶着手段により一体化されることで直交状に配される支持プレート９ｂとを備えて構成されており、該支持プレート９ｂには、左右方向内側面に巻取りドラム４の左右端部４ａ、４ｂを軸承する軸受け９ｃが設けられ、左右方向外側面に上下一対の補強プレート９ｄが設けられている。そして、支持ブラケット３は、躯体取付けプレート１０にブラケット本体９のベースプレート９ａを積層し、躯体取付けプレート１０の上下二箇所に形成された左右方向に長い長孔１０ａと、ベースプレート９ａの上下二箇所に形成された上下方向に長い長孔９ｅとを連通状とし、これら長孔１０ａ、９ｅにブラケット固定用ボルト９ｆを貫通し、これらブラケット固定用ボルト９ｆの貫通先端にナット９ｇを緊締してブラケット本体９と躯体取付けプレート１０とを固定（一体化）することにより構成されている。尚、前記支持ブラケット３は、後述するように、躯体取付けプレート１０の後面が躯体取付け面１０ｂとなって躯体２にあてがわれて固定されるように設定されており、躯体取付けプレート１０の上下端部には、躯体２への取付けのための上下方向に長い長孔形状をした各一対の上下側固定用孔１０ｃ、１０ｄがそれぞれ形成されている。
【００１０】
前記第二工程では、前記左右の支持ブラケット３をユニック車等の移送機を用いて架台８に載置された巻取りドラム４の左右に移送し、支持プレート９ｂの各軸受け９ｃを、巻取りドラム４の左右の端部４ａ、４ｂにそれぞれ貫通支持せしめる。この組込み状態では、支持ブラケット３が巻取りドラム４に対して相対回転自在な状態となっており、移送機による支持ブラケット３の支持を解除して自由状態にする（支持ブラケット３の支持を解除する）と、架台８に載置されて不動となった巻取りドラム４に対して、重量化されている躯体取付けプレート１０配設部が下方に位置するような姿勢となることが想定される。
そこで、第二工程では、図５に示すように、基端部７ａが巻取りドラム４に固定され、シャッターカーテン１の左右両端部から外部に引出された索体遊端部７ｂを支持ブラケット３に連結し、索体７により支持ブラケット３の回り止めがなされたドラムユニットＵを形成する。つまり、索体遊端部７ｂ先端の引っ掛け部７ｃの止め具７ｄを外して直線状態とし、該直線状態の先端を、支持プレート９ｂに形成された貫通孔（例えば開閉機５組込み用の貫通孔）に貫通し、該貫通先端を再び止め具７ｄにより係止してリング状の引っ掛け部７ｃとして、支持プレート９ｂと巻取りドラム４とを索体７を介して連結する。ここで、前記索体引っ掛け部７ｃは、前記のようなリング状である必要はなく、例えば、遊端の先端部を支持プレート貫通孔に係止するクリップのように形成してもよく、要は、支持プレート９ｂに対し簡単、かつ、容易に着脱できるものであれば何れの構成であってもよい。さらに、支持プレート側の索体との連結部としては、必ずしも貫通孔でなくてもよく、索体の遊端部（引っ掛け部）が着脱自在に連結されるものであればよい。
そして、巻取りドラム４から引出された索体７を左右の支持ブラケット３に連結することにより、左右の各索体７は、それぞれ左右の支持ブラケット３と巻取りドラム４の左右端部との間に張設される状態となり、これによって、各支持ブラケット３は、巻取りドラム４に対して索体７を引っ張る方向の回転が規制（回り止め）された状態に保持され、しかも、支持ブラケット３の巻取りドラム４からの抜止めがなされるように構成されている。この場合に、左右の索体７を略同様の長さに調整することにより、左右の支持ブラケット３を巻取りドラム４に対して略同様の回転状態の姿勢に保持することができ、これによって、左右の躯体取付けプレート１０の取付け面１０ｂが略同方向を向くように設定されている。続いて、前記状態の巻取りドラム４と支持ブラケット３とを適宜養生材により養生することにより、巻取りドラム４に対して左右の支持ブラケット３が同様の姿勢に保持された状態の巻取りドラムユニットＵが形成される。
【００１１】
続いて、架台８上で組込み形成されたドラムユニットＵを吊り上げて躯体２に固定する第三工程を実施する。
前記第三工程では、前記養生された巻き取りドラムユニットＵの巻取りドラム４にベルトを懸け回し、該ベルトを、図示しないクレーンのフックに連結して吊り上げて、躯体２の取付け部に移送して固定する。この場合に、本実施の形態では、図５に示すように、架台８に載置されたドラムユニットＵの左右の支持ブラケット３は、索体７に回転規制されることにより躯体取付けプレート１０が略上下方向を向き、取付け面１０ｂが後方を向く姿勢に保持されている。そして、ドラムユニットＵを吊り上げる場合に、架台８上の左右の支持ブラケット３の姿勢が変わらないように吊り上げて躯体２に対向させることにより、左右の支持ブラケット３の巻取りドラム４に対する姿勢を大きく修正することなく躯体２への固定作業ができるように構成されている。
【００１２】
一方、躯体２は、図６に示すように、建築用シャッターを取付ける部位に位置して左右一対の縦部材１１、１２が固定されているとともに、これら縦部材１１、１２の上部に位置し、これらを連結する状態で角パイプ状の第一横部材１３と断面Ｈ状の第二横部材１４とが上下に固定されており、これら第一、第二横部材１３、１４配設部位がドラムユニットＵの取付け部となっている。そして、第一横部材１３の左右両端部であって、ドラムユニットＵの支持ブラケット３が対向する部位の上面には、それぞれ第一横部材１３の前面と面一になる状態で上側支持部材１５が固定されており、これら上側支持部材１５に、躯体取付けプレート１０の一対の上側固定用孔１０ｃに対向する一対の上側固定用孔１５ａが開設されているが、これら上側固定用孔１５ａは、左右方向に長い長孔形状に形成されている。また、第二横部材１４前面の左右両端部は、ドラムユニットＵの支持ブラケット３の下端部が対向するように設定されており、躯体取付けプレート１０の一対の下側固定用孔１０ｄに対向して、前記上側固定用孔１５ａと同様に左右方向に長い長孔形状をした一対の下側固定用孔１４ａがそれぞれ開設されている。
【００１３】
そして、ドラムユニットＵは、前述したように、躯体取付けプレート１０が略上下方向を向き、躯体取付け面１０ｂが躯体２の巻取りドラム４取付け部に対向するよう後方を向いた状態で吊り上げ、この状態でドラムユニットＵを躯体２に近付けて躯体取付けプレート１０を上側支持部材１５、第一、第二横部材１３、１４の前面に沿わせ、左右の支持ブラケット３の躯体取付けプレート１０の左右一対の上、下側固定用孔１０ｃ、１０ｄを、躯体２側の上、下側固定用孔１５ａ、１４ａにそれぞれ連通状とする。続いて、これら四箇所の固定用孔１０ｃ、１０ｄ、１５ａ、１４ａ同士に躯体固定用ボルト１６を貫通し、該躯体固定用ボルト１６の貫通先端にナット１６ａを緊締することによりドラムユニットＵを躯体２に固定する。
【００１４】
このように、第一、第二、第三工程に基づいてドラムユニットＵを躯体２に固定することにより、左右の支持ブラケット３の巻取りドラム４に対する姿勢を大きく変姿させる作業をすることなく固定作業をすることができて、取付け作業の簡略化、作業時間の短縮化を図ることができる。さらに、本実施の形態の取付け方法では、第三工程でドラムユニットＵを躯体２に固定する場合に位置精度を高める必要はなく、ドラムユニットＵを固定した後に、改めて巻取りドラム４の取付け位置を調整する工程を設けることができるように構成されており、該調整工程では、巻取りドラム４にチェーンブロック等の機材を連結してドラムユニットＵの荷重を支持した状態で実施することができる。
つまり、巻取りドラム４の上下方向、左右方向の調整を支持ブラケット３のブラケット本体９と躯体取付けプレート１０との固定（一体化）部において実施することができ、この場合では、ブラケット固定用ボルト９ｆを緩め、ベースプレート９ａの長孔９ｅに沿う変位でブラケット本体９（巻取りドラム４）の上下方向の位置調整がなされ、躯体取付けプレート１０の長孔１０ａに沿う変位でブラケット本体９の左右方向の位置調整がなされるように構成されている。また、巻取りドラム４（ドラムユニットＵ）の上下方向、左右方向の調整を躯体取付けプレート１０と躯体２との固定（一体化）部において実施することができ、この場合では、躯体固定用ボルト１６を緩め、躯体取付けプレート１０の上下側固定用孔１０ｃ、１０ｄに沿う変位でドラムユニットＵ（躯体取付けプレート１０）の上下方向の位置調整がなされ、躯体２側の上下側固定用孔１５ａ、１４ａに沿う変位でドラムユニットＵ（躯体取付けプレート１０）の左右方向の位置調整がなされるように構成されている。これによって、巻取りドラム４は、ブラケット本体９と躯体取付けプレート１０との固定部における調整と、躯体取付けプレート１０と躯体２との固定部における調整との二箇所で調整することができ、上下方向、左右方向の調整を大きい調整幅で実施できるように構成されている。
【００１５】
そして、巻取りドラム４の位置調整の後、左側の支持ブラケット３に開閉機５を設置し、該開閉機５と巻取りドラム４とを連動連結し、縦部材１１、１２にガイドレール６を取付ける等の設置作業をした後、シャッターカーテン１を降下して開口部を閉鎖する状態とすると、巻取りドラム４と索体基端部７ａとの連結部が外部に露出し、該索体基端部７ａを固定するボルト１ｃを緩めることでボルト１ｃから索体基端部７ａを脱落させることができるように構成されている。
尚、１７は、ドラムユニットＵを内装するためのシャッターケースである。
【００１６】
叙述の如く構成された本形態において、工場で実施される第一工程で、巻取りドラム４にシャッターカーテン１と索体７とを連結し、巻取りドラム４にシャッターカーテン１を巻取って移送しやすい状態とし、支持ブラケット３、開閉機５、ガイドレール６等の他の必要な部材とともに設置現場に搬送し、設置現場において、支持ブラケット３を巻取りドラム４の左右両端部に軸承させてドラムユニットＵを形成する第二工程を実施するが、この場合に、ドラムユニットＵは、支持ブラケット３にシャッターカーテン１の左右両端部から外部に引き出された索体７の引っ掛け部７ｃが連結されていて、巻取りドラム４から抜け止めされるとともに回り止めされ、しかも、左右の支持ブラケット３の躯体取付けプレート１０が上下方向を向く姿勢に保持されている。この結果、ドラムユニットＵをクレーン等の建設機械により吊り上げた場合に、左右の支持ブラケット３の巻取りドラム４に対する姿勢を大きく修正することなく、躯体取付けプレート１０を躯体２に取付ける姿勢とすることができ、従来のもののように、クレーンと巻上げ機との両者を設ける必要がなく、第三工程における躯体２への固定作業が簡略化されるとともに容易となり、作業時間の短縮が図れる。
【００１７】
このように、本発明が実施されたものにあっては、左右一対の索体７によってドラムユニットＵにおける左右の支持ブラケット３の姿勢を、巻取りドラム４に対して略同様の姿勢に保持することができ、従来の支持ブラケット同士を躯体に固定される固定部材で一体化して姿勢保持するもののようにドラムユニットが重量化することがなく、第三工程における作業が容易になるうえ、ドラムユニットＵを躯体２に固定し巻取りドラム４の位置調整をした後に、索体７を簡単に取外すことができるので、索体７が邪魔になるような不具合もない。
【００１８】
さらに、このものでは、第三工程でドラムユニットＵを躯体２に取付けた後に、巻取りドラム４の位置調整をすることができるので、第三工程での躯体２への固定作業においてドラムユニットＵの位置精度を殊更高めることなく固定することができて、第三工程での作業を一層容易にすることができる。
【００１９】
尚、本発明は前記実施の形態に限定されないことは勿論であって、連結体（索体であってもよい）の基端部は、シャッターカーテンが巻装された巻取りドラムの左右両端部にそれぞれ固定する構成としてもよく、この場合では、第二工程における連結体の巻取りドラムへの固定作業を、工場、設置現場の何れの場所で行ってもよく、作業場所を選択することが可能となる。
また、連結体（索体）としては、巻取りドラムとの連結箇所や支持ブラケットの重量等を考慮して、チエン、ロープ、ベルト等適宜選択することができる。
【図面の簡単な説明】
【００２０】
【図１】建築用シャッターの正面図である。
【図２】建築用シャッターの一部を切欠いた側面図である。
【図３】第二工程の作業を説明する正面図である。
【図４】図４（Ａ）、（Ｂ）はそれぞれ支持ブラケットの正面図、平面図である。
【図５】第二工程により形成されたドラムユニットの平面図である。
【図６】建築用シャッター装置の取付け前における躯体の正面図である。
【符号の説明】
【００２１】
１    シャッターカーテン
１ｃ    固定ボルト
２    躯体
３    支持ブラケット
４    巻取りドラム
７    索体
７ｂ    遊端部
８    架台
９    ブラケット本体
９ｅ    長孔
９ｆ    ブラケット固定用ボルト
１０    躯体取付けプレート
１４    第二横部材
１５    上側支持部材
１５ａ    上側固定用孔
１６    躯体固定用ボルト
【図１】
2010007363.tif 000003
【図２】
2010007363.tif 000004
【図３】
2010007363.tif 000005
【図４】
2010007363.tif 000006
【図５】
2010007363.tif 000007
【図６】
2010007363.tif 000008